(57)【要約】【課題】  半田リフロー処理時において、半田溶融時の金属ホルダー又は金属ハウジングケースの浮き現象を抑え、位置ズレが発生しにくい表面実装型振動モータ及び取付構造を提供する。【解決手段】  回転軸に偏心分銅を取り付けた振動モータと、前記振動モータ本体の胴部を保持し、載置する回路基板側の固定領域に半田接合する金属ホルダーと、前記振動モータ本体内部の回転駆動機構に通電するための一対の給電端子と、を備える表面実装型振動モータにおいて、振動モータ本体の胴部を保持し、載置する回路基板側の固定領域に当接して半田接合する前記金属ホルダーの底面部に、回転軸の軸方向に延在する隆起した凸状レールを複数本、あるいは半球状の突起を複数個配置したことを特徴とする表面実装型振動モータとする。【選択図】  図１【特許請求の範囲】
【請求項１】
回転軸に偏心分銅を取り付けた振動モータと、
前記振動モータ本体の胴部を保持し、載置する回路基板の固定領域に半田接合する金属ホルダーと、
前記振動モータ本体内部の回転駆動機構に通電するための一対の給電端子と、
を備える表面実装型振動モータにおいて、
前記固定領域に当接する前記金属ホルダーの底面部に、隆起した凸状レールを複数本配置したことを特徴とする表面実装型振動モータ。
【請求項２】
回転軸に偏心分銅を取り付けた振動モータと、
前記振動モータ本体の胴部を保持し、載置する回路基板の固定領域に半田接合する金属ホルダーと、
前記振動モータ本体内部の回転駆動機構に通電するための一対の給電端子と、
を備える表面実装型振動モータにおいて、
前記固定領域に当接する前記金属ホルダーの底面部に、半球状の突起を複数個配置したことを特徴とする表面実装型振動モータ。
【請求項３】
回転軸に偏心分銅を取り付けた振動モータと、
前記振動モータ本体の胴部を構成し、載置する回路基板の固定領域に半田接合する金属ハウジングケースと、
前記振動モータ本体内部の回転駆動機構に通電するための一対の給電端子と、
を備える表面実装型振動モータにおいて、
前記固定領域に当接する前記金属ハウジングケースの底面部に、隆起した凸状レールを複数本配置したことを特徴とする表面実装型振動モータ。
【請求項４】
回転軸に偏心分銅を取り付けた振動モータと、
前記振動モータ本体の胴部を構成し、載置する回路基板の固定領域に半田接合する金属ハウジングケースと、
前記振動モータ本体内部の回転駆動機構に通電するための一対の給電端子と、
を備える表面実装型振動モータにおいて、
前記固定領域に当接する前記金属ハウジングケースの底面部に、半球状の突起を複数個配置したことを特徴とする表面実装型振動モータ。
【請求項５】
前記凸状レールが、金属ホルダー又は金属ハウジングケースの底面部に対して、前記回転軸の軸方向に延在し、回転軸を中心に対称かつ平行に設けられていることを特徴とする請求項１又は請求項３に記載の表面実装型振動モータ。
【請求項６】
前記半球状の突起が、金属ホルダー又は金属ハウジングケースの底面部に対して、少なくとも底面の四隅に設けられていることを特徴とする請求項２又は請求項４に記載の表面実装型振動モータ。
【請求項７】
前記凸状レール又は前記半球状の突起が、前記回転軸と前記回路基板面とを水平になるように基板面上で支持することを特徴とする請求項１〜請求項６に記載の表面実装型振動モータ。
【請求項８】
前記凸状レール又は前記半球状の突起の底面位置から頂部までの高さ寸法が、回路基板の固定領域上におけるリフロー処理前のペースト半田の塗布厚み寸法以下であることを特徴とする請求項１〜請求項７に記載の表面実装型振動モータ。
【請求項９】
前記凸状レール又は前記半球状の突起が、金属ホルダー又は金属ハウジングケースの底面位置と回路基板面との間隙寸法を一定に保ち、リフロー処理後、半田接合された後の間隙寸法においても変化がなく、半田層の厚みを一定に保つ構造であることを特徴とする請求項１〜請求項８に記載の表面実装型振動モータの取付構造。
【請求項１０】
前記凸状レール又は前記半球状の突起の側断面形状が、R曲線からなることを特徴とする請求項１〜請求項９に記載の表面実装型振動モータ。
【請求項１１】
前記凸状レール又は前記半球状の突起の頂部位置が、前記振動モータ本体側の一対の給電端子の端子平面と同一平面位置に設けられていることを特徴とする請求項１〜請求項１０に記載の表面実装型振動モータ。
【発明の詳細な説明】
【技術分野】
【０００１】
本発明は、半田リフローに対応した振動モータに係り、特に、回路基板に半田付けされる金属ホルダー又はモータ本体のハウジングケースの一部を金属ホルダー部として備えた表面実装型の振動モータ、及びその取付構造に関する。
【背景技術】
【０００２】
従来から、電子機器に搭載される回路部品は、半田リフロー対応の表面実装型の小型電子部品が多数採用されている。このような小型の電子部品は、ペースト半田が印刷された回路基板上の所定位置（以下、固定領域という）に自動機でそれぞれ載置され、その後、半田リフロー用の加熱炉内で一括に熱処理されることにより、溶融した半田層によって回路基板上に接合固定され取付られる。【０００３】
また、前記電子部品と同様に、近年、携帯電話等に用いられる振動発生用電動機（以下、振動モータという）も、半田リフロー処理で回路基板上の固定領域に接合固定されるようになり、半田リフローが可能な一つのチップ型電子デバイスとして、表面実装型の振動モータが注目されている。（例えば、特許文献１）
【特許文献１】特開平１１−２３４９４３号公報
【発明の開示】
【発明が解決しようとする課題】
【０００４】
しかしながら、表面実装型振動モータは、他の一般電子部品に比べ寸法サイズが大きく、また高比重の偏心分銅を備えるため、全体重量も重くなる。さらに現行の振動モータは、搭載する機器自体の小型化の要望から、モータ本体部の長さと径寸法が短小となり、回路基板面に載置する際には、その全体重量に比べて固定するための接合面積が狭く限られてしまい、接合強度不足の点で問題がある。また、回路基板の固定領域に配置する場合、加熱炉に流すリフロー処理工程においても、振動モータを回路基板面の表裏面（ＡＢ面）、つまり第１あるいは第２工程のどちらかに載置して熱処理するかが問題となる。【０００５】
一般的な半田リフロー工程においては、例えば初めに主要な小型の電子部品を表面のＡ面に載せて第１のリフロー処理を行い、続いて回路基板裏面のＢ面に大型の別部品を載せ、再度第２のリフロー処理を行うことが多い。前記振動モータの場合、載置する部品自体が重量物となるため、半田接合取付後の再リフロー処理は避け、上面側に載せる配置状態での第２リフロー処理が最も適している。しかしこの場合においても、基本的に通常の加熱溶融時の半田浮き現象の問題があり、どうしても回路基板上での位置出し精度が得にくいという問題が発生する。【０００６】
つまり単なる同一平面形状の底面部からなる接合面では、例えば図４及び図５(b)に示すように、半田リフロー処理時、金属ホルダー202の底面部側の半田130が溶融した状態では、振動モータ1は金属ホルダー202と共に、振動モータ1全体が溶融した半田130の外力（浮力）により浮いてしまい、回路基板100上の固定領域101の平面上を不特定な矢印W方向に流されて移動してしまう可能性が大きい。これにより図５(b)に示すように、W方向に金属ホルダー202が容易にズレてしまい、所定の固定領域101から大きく外れることがある。【０００７】
これに対し前記接合強度と位置出し精度の問題に対し、振動モータ側の金属ホルダーの底面部形状を改善した先願技術がある。例えば特許文献１にあるように、金属ホルダーの底面部に、膨出部や切り込み付き膨出部、又は外周部に入り江状切り欠き形状を設けるものがあり、底面部の形状を従来の単純な平面から複雑な凹凸形状に変えて、固定面における半田フィレット形状を多用化する構造が採用されつつある。ここで言う半田フィレットとは、図８に示すように、金属ホルダー20の底面部の切り欠き部断面立ち上がり部分Lにおいて、リフロー処理時に溶融した半田130が、立ち上がり部分Lまで回り込む三角形状Fのことを言い、これにより半田固定の接合強度が飛躍的に向上する。【０００８】
また同時に、接合強度は、リフロー処理後の接合面半田層の厚みのバラツキにも影響される。当然ながら金属ホルダー（又は金属ハウジングケース）底面部と回路基板の固定領域面との間の半田層の厚みは、常に均一であることが望まれており、最適な接合強度を得るためには半田層の適正厚みでの設定範囲が必要である。半田リフローの場合、ペースト半田は必要最小限の量（又は厚み）で固定領域に印刷され、ほぼペースト半田が印刷された部分のみに一定の半田層が形成されるので、リフロー処理時での金属ホルダー（又は金属ハウジングケース）の位置ズレは半田層の厚みの偏りに繋がり、結果的に半田切れによる強度不足の問題となる。さらに接合後に、経時変化による半田接合面への影響も考えられ、底面部の形状、特に平面部と凹凸部の組み合わせ構造が接合強度アップと信頼性の向上に繋がる。【０００９】
また同時に、金属ホルダー（又は金属ハウジングケース）の成型金型においても、形状的に製作が容易で生産性があり、コストの掛からない設計が望まれる。特に底面部の平坦度が要求されるような複雑な絞り加工、合わせ加工、または軸方向が異なる二次加工の組み合わせなどは製造部品の歩留りも悪く、金属加工部品としてコスト高になるという問題がある。【００１０】
本発明の課題は、上記問題点を解決するため、半田リフロー処理時において、半田溶融時の金属ホルダー又は金属ハウジングケースの浮き現象を抑え、位置ズレが発生しにくい半田接合底面部の構造、及び一定の半田層の厚みを常に維持することにより、安定した接合強度を得ることができる金属ホルダー又は金属ハウジングケースを提供することを目的とする。さらに金属ホルダー又は金属ハウジングケースの製作コストが掛からない簡単な構造の底面部形状を提供することを目的とする。また半田付けする金属ホルダー又は金属ハウジングケース側の一部の形状を変更することにより、搭載する回路基板上の固定領域に安定して振動モータを置くことができ、さらに半田層の厚みを一定に保ち、接合強度を上げ、半田接合箇所から振動モータが剥離することを防ぐことができる表面実装型振動モータを提供すること目的とする。
【課題を解決するための手段】
【００１１】
上述の問題を解決するため、請求項１に記載の発明においては、
回転軸に偏心分銅を取り付けた振動モータと、
前記振動モータ本体の胴部を保持し、載置する回路基板の固定領域に半田接合する金属ホルダーと、
前記振動モータ本体内部の回転駆動機構に通電するための一対の給電端子と、
を備える表面実装型振動モータにおいて、
前記固定領域に当接する前記金属ホルダーの底面部に、隆起した凸状レールを複数本配置したことを特徴とする表面実装型振動モータとしている。【００１２】
また請求項２に記載の発明においては、
回転軸に偏心分銅を取り付けた振動モータと、
前記振動モータ本体の胴部を保持し、載置する回路基板の固定領域に半田接合する金属ホルダーと、
前記振動モータ本体内部の回転駆動機構に通電するための一対の給電端子と、
を備える表面実装型振動モータにおいて、
前記固定領域に当接する前記金属ホルダーの底面部に、半球状の突起を複数個配置したことを特徴とする表面実装型振動モータとしている。【００１３】
また請求項３に記載の発明においては、
回転軸に偏心分銅を取り付けた振動モータと、
前記振動モータ本体の胴部を構成し、載置する回路基板の固定領域に半田接合する金属ハウジングケースと、
前記振動モータ本体内部の回転駆動機構に通電するための一対の給電端子と、
を備える表面実装型振動モータにおいて、
前記固定領域に当接する前記金属ハウジングケースの底面部に、隆起した凸状レールを複数本配置したことを特徴とする表面実装型振動モータとしている。【００１４】
また請求項４に記載の発明においては、
回転軸に偏心分銅を取り付けた振動モータと、
前記振動モータ本体の胴部を構成し、載置する回路基板の固定領域に半田接合する金属ハウジングケースと、
前記振動モータ本体内部の回転駆動機構に通電するための一対の給電端子と、
を備える表面実装型振動モータにおいて、
前記固定領域に当接する前記金属ハウジングケースの底面部に、半球状の突起を複数個配置したことを特徴とする表面実装型振動モータとしている。【００１５】
また請求項５に記載の発明においては、請求項１又は請求項３に記載の表面実装型振動モータにおいて、
前記凸状レールが、金属ホルダー又は金属ハウジングケースの底面部に対して、前記回転軸の軸方向に延在し、回転軸を中心に対称かつ平行に設けられていることを特徴とする表面実装型振動モータとしている。【００１６】
また請求項６に記載の発明においては、請求項２又は請求項４に記載の表面実装型振動モータにおいて、
前記半球状の突起が、金属ホルダー又は金属ハウジングケースの底面部に対して、少なくとも底面の四隅に設けられていることを特徴とする表面実装型振動モータとしている。【００１７】
また請求項７に記載の発明においては、請求項１〜請求項６に記載の表面実装型振動モータにおいて、
前記凸状レール又は前記半球状の突起が、前記回転軸と前記回路基板面とを水平になるように基板面上で支持することを特徴とする表面実装型振動モータとしている。【００１８】
また請求項８に記載の発明においては、請求項１〜請求項７に記載の表面実装型振動モータにおいて、
前記凸状レール又は前記半球状の突起の底面位置から頂部までの高さ寸法が、回路基板の固定領域上におけるリフロー処理前のペースト半田の塗布厚み寸法以下であることを特徴とする表面実装型振動モータとしている。【００１９】
また請求項９に記載の発明においては、請求項１〜請求項８に記載の表面実装型振動モータにおいて、
前記凸状レール又は前記半球状の突起が、金属ホルダー又は金属ハウジングケースの底面位置と回路基板面との間隙寸法を一定に保ち、リフロー処理後、半田接合された後の間隙寸法においても変化がなく、半田層の厚みを一定に保つ構造であることを特徴とする表面実装型振動モータの取付構造としている。【００２０】
また請求項１０に記載の発明においては、請求項１〜請求項９に記載の表面実装型振動モータにおいて、
前記凸状レール又は前記半球状の突起の側断面形状が、R曲線からなることを特徴とする表面実装型振動モータとしている。【００２１】
また請求項１１に記載の発明においては、請求項１〜請求項１０に記載の表面実装型振動モータにおいて、
前記凸状レール又は前記半球状の突起の頂部位置が、前記振動モータ本体側の一対の給電端子の端子平面と同一平面位置に設けられていることを特徴とする表面実装型振動モータとしている。
【発明の効果】
【００２２】
請求項１又は請求項３に記載の発明によれば、
振動モータ本体の胴部を保持し、載置する回路基板側の固定領域に当接して半田接合する前記金属ホルダーの底面部、又は前記振動モータ本体の胴部を構成し、載置する回路基板の固定領域に当接して半田接合する金属ハウジングケースの底面部に、隆起した凸状レールを複数本配置することにより、半田リフロー処理時の溶融半田による金属ホルダー及び金属ハウジングケース全体の浮き現象を抑え、位置ズレが発生しにくい半田接合底面部の構造及び表面実装型振動モータが実現できる。【００２３】
つまり請求項１又は請求項３に記載の発明によれば、
前記金属ホルダー又は前記金属ハウジングケースの底面部に位置する隆起した凸状レールが、振動モータ本体を回路基板上に載せる際、所定の固定領域に予め印刷されたペースト半田の上に載り、振動モータ本体の自重により半田層の厚み方向に加重され、凸状レールのライン上で部分加重され、位置決めされた状態のままリフロー処理されることにより、加熱により溶融した半田層の状態変化に影響されずに、安定して回路基板上に振動モータを既存の位置で半田固定することができるという効果を奏する。つまり前記凸状レールは、主に溶融した半田層の状態変化による外力（浮力）に対し、例えば橋の橋脚のような役割を成し、前記金属ホルダー又は前記金属ハウジングケースと一体の前記振動モータとを常に一定に保ち、位置ズレを防止することができる。【００２４】
また同様に、請求項２又は請求項４に記載の発明によれば、
前記振動モータ本体の胴部を保持し、載置する回路基板側の固定領域に当接して半田接合する前記金属ホルダーの底面部、又は前記振動モータ本体の胴部を構成し、載置する回路基板の固定領域に当接して半田接合する金属ハウジングケースの底面部に、半球状の突起を複数個配置することにより、半田リフロー処理時の溶融半田による金属ホルダー及び金属ハウジングケース全体の浮き現象を抑え、位置ズレが発生しにくい半田接合底面部の構造及び表面実装型振動モータが実現できる。【００２５】
つまり請求項２又は請求項４に記載の発明によれば、前記効果と同様に、
前記金属ホルダー又は金属ハウジングケースの底面部に位置する半球状の複数個の突起が、振動モータ本体を回路基板上に載せる際、所定の固定領域に予め印刷されたペースト半田の上に載り、振動モータ本体の自重により半田層の厚み方向に加重され、突起箇所で部分加重され、位置決めされた状態のままリフロー処理されることにより、加熱により溶融した半田層の状態変化に影響されずに、安定して回路基板上に振動モータを半田固定することができるという効果を奏する。つまり前記半球状の突起は、主に溶融した半田層の状態変化による外力（浮力）に対し、例えば橋の橋脚のような役割を成し、前記金属ホルダー又は前記金属ハウジングケースと一体の前記振動モータとを常に一定に保ち、位置ズレを防止することができる。【００２６】
また請求項５に記載の発明によれば、
前記凸状レールが、金属ホルダー又は金属ハウジングケースの底面部に対して、前記回転軸の軸方向に延在し、回転軸を中心に対称かつ平行に設けられている。【００２７】
これにより前記効果と同様に、半田リフロー処理時の溶融半田による金属ホルダー又は金属ハウジングケース全体の浮き現象を抑えられ、位置ズレが発生しにくい表面実装型振動モータの半田接合が実現できる。さらに凸状レールの配置と形状が、回転軸の軸方向に延びる平行直線状の凸状レールであるので、例えば簡易な圧延金型を用いてパイプ状の異形線材を成形引きし、長さ方向に切断するだけで凸状レール部の形状を作成することもでき、或いは多段の絞り金型を用いて凸状レール付きのキャップ形状を作成することもでき、共に製造面でのコスト削減が可能となる。【００２８】
また請求項６に記載の発明によれば、
前記半球状の突起が、金属ホルダー又は金属ハウジングケースの底面部に対して、少なくとも底面の四隅に設けられている。【００２９】
これにより前記請求項２及び請求項４の効果と同様に、半田リフロー処理時の溶融半田による金属ホルダー又は金属ハウジングケース全体の浮き現象を抑えられ、位置ズレが発生しにくい表面実装型振動モータの半田接合が実現できる。さらに金属ホルダー又は金属ハウジングケースの形状が半球状の突起を複数個配置するものであるので、簡易な押圧金型を用いてプレス成形し、半球状の突起箇所を設けるだけで底面部形状を作成することができ、製造面でのコスト削減が可能となる。【００３０】
また請求項７に記載の発明によれば、
前記凸状レール又は前記半球状の突起が、前記回転軸と前記回路基板面とを水平になるように基板面上で支持することができる。【００３１】
また請求項８に記載の発明によれば、
前記凸状レール又は前記半球状の突起の底面位置から頂部までの高さ寸法が、回路基板の固定領域上におけるリフロー処理前のペースト半田の塗布厚み寸法以下であるので、リフロー処理時にペースト半田が溶融したときに、金属ホルダー又は金属ハウジングケースの底面部との接触が確実に行われ、半田リフロー処理での半田固定の信頼性が向上する。【００３２】
また請求項９に記載の発明によれば、
前記凸状レール又は前記半球状の突起が、金属ホルダー又は金属ハウジングケースの底面位置と回路基板面との間隙寸法を一定に保ち、リフロー処理後、半田接合された後の間隙寸法においても変化がなく、半田層の厚みを一定に保つ取付構造となる。これにより、常に安定した半田接合が得られ、接合強度をより高める効果を奏する。【００３３】
また請求項１０に記載の発明によれば、
前記凸状レール又は前記半球状の突起の側断面形状がR曲線からなり、これにより金属板材の加工工程において、加工性が容易で製造コストが低減でき、また半田リフロー処理時の溶融半田による金属ホルダー全体の浮き現象を単純な形状で抑えることができ、位置ズレが発生しにくい表面実装型振動モータが実現できる。【００３４】
また請求項１１に記載の発明によれば、
前記凸状レール又は前記半球状の突起の頂部位置が、前記振動モータ本体側の一対の給電端子の端子平面と同一平面位置に設けられることにより、半田リフロー処理において、振動モータ全体を固定領域に載置して位置決めするだけで、給電端子部分の給電接続と前記振動モータ自身の半田接合固定を同時に行うことができる。【００３５】
このように本発明は、半田リフロー処理において、半田溶融時の金属ホルダー又は金属ハウジングケースの浮き現象を抑え、位置ズレが発生しにくい半田接合底面部の構造及び表面実装型振動モータ、さらに接合面においての半田層の厚みを常に一定に維持することにより、安定した接合強度を得ることができる。【００３６】
また金属ホルダー又は金属ハウジングケースの接合金属部材として、製作コストが掛からない簡単な構造の底面部形状を提供することができる。このように金属ホルダー又は金属ハウジングケース側の一部の形状を変更することにより、搭載する回路基板上の固定領域に安定して振動モータを載置することができ、半田リフロー処理時の溶融半田による金属ホルダー及び金属ハウジングケース全体の浮き現象を抑え、位置ズレが発生しにくい表面実装型振動モータを提供することができる。
【発明を実施するための最良の形態】
【００３７】
以下に、本発明の表面実装型振動モータの最良の形態について、図を参照して説明する。【００３８】
＜実施形態１＞
図１及び図２に、本実施形態に係る表面実装型振動モータの例を二つ示す。両図における振動モータ1は、共に回転軸6の出力軸側に偏心分銅3が取り付けられた円筒型のモータ構造であり、そのモータ本体胴部10の外周部に取付られた略四角形状の金属ホルダー2によって、回路基板上に半田接合される表面実装型の振動発生装置である。【００３９】
この振動モータ1は、前記偏心分銅3と、前記モータ部を構成する略円筒状のモータ本体胴部10と、前記モータ本体胴部10一端側に嵌合する端子台4及びその端子台4に取り付けられた給電端子5を備えている。前記振動モータ1は、モータ本体胴部10を保持固定するための金属ホルダー2の軸方向両端に配置されたストッパ2dにより、一体に組み合わされる。【００４０】
前記端子台4には、モータ本体内部と電気的に接続される給電端子5が一対設けられており、給電端子5には、回路基板側平面に向って直角に曲げられて延在する平面部5aが設けられている。【００４１】
図１と図２の構造の違いは、前記モータ本体胴部10を保持する金属ホルダー2の底面部凸形状にある。金属ホルダ2の底面部形状には、図１に示すような回転軸方向に延びる凸状レールのものと、図２に示すような底面部の四隅に配置した半球状の突起のものがある。【００４２】
図１においては、載置する回路基板側の固定領域に当接して半田接合する前記金属ホルダー2の底面部に、回転軸6の軸方向に延在する隆起した凸状レール2aを複数本配置している。本実施形態では平行な２本の凸状レールとしている。そしてリフロー処理時には、図３(a)に示すように、金属ホルダー2の底面部側の凸状レール2aを下にして、載置する回路基板100の固定領域101上に置くことで、振動モータ1全体は、回転軸6と回路基板100とが水平となり、また固定領域101面上で、振動モータ1の自重G方向に加重され、前記凸状レールを橋脚部として、安定に支持することができる。【００４３】
図２においてもこれと同様に、載置する回路基板側の固定領域に当接して半田接合する前記金属ホルダー2の底面部に、半球状の突起を複数個配置している。図においては底面部の四隅に配置している。そしてリフロー処理時には、図３(a)に示すように、金属ホルダー2の底面部側の突起2bを下にして、載置する回路基板100の固定領域101上に置くことで、振動モータ1全体は、回転軸6と回路基板100とが水平となり、また固定領域101面上で、振動モータ1の自重G方向に加重され、安定して支持することができる。【００４４】
この時、回路基板100の固定領域101には、予めペースト状のリフロー半田130が印刷されているが、図３(b)に部分拡大図を示すように、その半田層の厚みに対し、ほぼ等しい高さDにある隆起した図１の凸状レール2a又は図２の突起2bのそれぞれの頂部先端が、固定領域101面に半田層を介さずに接する状態で載置される。【００４５】
リフロー処理においては、図１及び図２のそれぞれの振動モータ1を、図３に示す載置状態でリフロー処理炉において加熱処理する。ペースト状のリフロー半田130は、加熱炉内で溶融され、前記隆起した凸状レール2a又は突起2bの高さDとなる金属ホルダー2と固定領域101との間の隙間に充填される。高温の炉内で溶融した半田層には金属ホルダー2を浮上させる力（浮力）が働くが、高さDを保つ前記凸状レール2a又は突起2bの隆起部分により、振動モータ1全体の浮き現象を抑え、位置ズレが発生しにくくなる。【００４６】
このように本実施形態である底面部に隆起部を備えた金属ホルダー2によれば、所定の固定領域101に予め印刷されたリフロー半田130上に載せた際、突出した前記凸状レール2aあるいは突起2b部分が、半田層の厚み方向に線加重又は点加重され、振動モータ1の自重Gと共に固定領域101面に仮固定され、位置決めされた状態のままリフロー処理されることにより、加熱されて溶融した半田層の状態変化に影響されずに、安定して回路基板100上に振動モータ1を既存の位置で半田固定することができる。つまり前記凸状レール2a及び突起2bは、主に溶融した半田層の状態変化による外力（浮力）に対し、前記金属ホルダー2と前記振動モータ1とを常に一定に保つようにすることができる。【００４７】
尚、本実施形態に係わらず、前記回転軸6の軸方向に延在する隆起した凸状レール2a及び半球状の突起2bの断面形状は、図３(b)に示すように、突出部分がR曲線からなることが好ましい。これは金属板材の加工工程においての製造コストが低減できることに加え、固定領域側への接触による損傷が少なく、また半田リフロー処理時の溶融した半田層による金属ホルダー2全体の浮き現象を抑え、位置ズレが発生しにくい半田接合底面部の構造が実現できるためである。【００４８】
リフロー半田130により固定された表面実装型振動モータ1は、回路基板100の固定領域101に対し、精度良く位置だしされた状態で配置され、また同時に給電機構としても回路基板100上の給電ランド部に給電端子5が接続される。【００４９】
本実施形態においては、前記凸状レール2a又は前記半球状の突起2bの頂部位置が、前記振動モータ1本体側の一対の給電端子5の端子平面部5aと同一平面位置に設けられているので、半田リフロー処理時において、金属ホルダー2を固定領域101に載置して位置決めするだけで、給電端子5の端子平面部5aの半田接続も、振動モータ1本体の半田接合処理を同時に行うことができる。【００５０】
このように本発明は、リフロー処理において、半田溶融時の金属ホルダー又は金属ハウジングケースの浮き現象を抑え、位置ズレが発生しにくい表面実装型振動モータの半田接合構造、及び接合面においての半田層の厚みを常に一定に維持することにより、安定した接合強度を得ることができる。【００５１】
また金属ホルダー又は金属ハウジングケースの接合金属部材として、製作コストが掛からない簡単な構造の底面部形状を提供することができる。このように金属ホルダー又は金属ハウジングケース側の一部の形状を変更することにより、搭載する回路基板上の固定領域に安定して振動モータを載置することができ、半田リフロー処理時の溶融半田による金属ホルダー及び金属ハウジングケース全体の浮き現象を抑え、位置ズレが発生しにくい表面実装型振動モータを提供することができる。【００５２】
＜実施形態２＞
図６及び図７に、本実施形態に係る表面実装型振動モータの別の一例と、モータ本体胴部の別視野の形状を示す。図６における振動モータ21は、回転軸26の軸中央部に偏心分銅23が取り付けられたインナーロータマグネット型のブラシレスモータ構造であり、ステータ部のコイル29の外周部に位置する略提灯形状の金属ホルダー兼モータ本体となる金属ハウジングケース22によって、回路基板上にリフロー半田付けされる表面実装型の振動発生装置である。【００５３】
前記振動モータ21は、偏心分銅23が金属ハウジングケース22内の軸受27により軸支された回転軸26上に配置されており、前記モータの筐体部を構成する略提灯形状の金属ハウジングケース22と、前記金属ハウジングケース22一端側に嵌合する端子台24及びその端子台24に取り付けられた給電端子25を備えている。本実施形態２の振動モータ21では、別途、半田接合専用の金属ホルダーを有せず、金属ハウジングケース22自身が半田リフロー用の金属ホルダー部としての役割を果たす。【００５４】
また前記端子台24には、前記実施形態１と同様に、モータ本体内部と電気的に接続される給電端子25が一対設けられており、給電端子25には、回路基板側平面に向って直角に曲げられて延在する平面部25aが設けられている。【００５５】
前記図６及び図７においては、載置する回路基板側の固定領域に当接して半田接合する前記金属ハウジングケース22の底面部に、回転軸26の軸方向に延在する隆起した凸状レール22aを複数本配置している。本実施形態では平行な２本の凸状レールとしている。また金属ハウジングケース22には、回転軸26の一端側を軸支する軸受27を嵌め込み、金属ハウジングケース22の円筒形状の端部を塞ぐ軸受保持部22cが形成されている。【００５６】
そしてリフロー処理時には、前記実施形態１の図３(a)と同様に、金属ハウジングケース22の底面部側の凸状レール22aを下にして、載置する回路基板100の固定領域101上に置くことで、振動モータ21全体は、出力軸26と回路基板100とが平行となり、また固定領域101面上で、振動モータ21の自重G方向に加重され、安定して支持することができる。【００５７】
この時、回路基板100の固定領域101には、予めペースト状のリフロー半田130が印刷されているが、図３(b)に部分拡大図を示すように、その半田層の厚みに対し、ほぼ等しい高さDにある隆起した凸状レール22aの頂部先端が、固定領域101面に半田層を介さずに接する状態で載置される。【００５８】
リフロー処理においては、前記実施形態１の図３(a)と同様に、振動モータ21を、図に示す載置状態でリフロー処理炉において加熱処理する。ペースト状のリフロー半田130は、加熱炉内で溶融され、前記隆起した凸状レール22aの高さDとなる金属ハウジングケース22と固定領域101との間の隙間に充填される。高温の炉内で溶融した半田層には、金属ハウジングケース22を浮上させる力（浮力）が働くが、前記凸状レール22aの高さDを保つ隆起部分により、振動モータ21全体の浮き現象を抑え、位置ズレが発生しにくくなる。【００５９】
このように本実施形態である底面部に隆起部を備えた金属ハウジングケース22によれば、所定の固定領域101に予め印刷されたリフロー半田130上に載せた際、突出した前記凸状レール22a部分が、半田層の厚み方向に加重され、振動モータ21の自重Gと共に固定領域101面に仮固定され、位置決めされた状態のままリフロー処理されることにより、加熱されて溶融した半田層の状態変化に影響されずに、安定して回路基板100上に振動モータ21を既存の位置で半田固定することができる。つまり前記凸状レール22aは、主に溶融した半田層の状態変化による外力（浮力）に対し、前記金属ハウジングケース22と前記振動モータ21とを常に一定に保つようにすることができる。【００６０】
また本実施形態においては、前記実施形態１と同様に、回転軸26の軸方向に延在する隆起した凸状レール22aの突出部分高さ方向における頂部位置が、前記振動モータ21側の一対の給電端子25の端子平面部25aと同一平面位置になるように設けられている。これにより前記半田リフロー処理において、金属ホルダー22を固定領域101に載置して位置決めするだけで、同時に給電端子25の端子平面部25aの通電接続も、振動モータ1本体の半田接合処理を同時に行うことができる。【００６１】
このように本発明は、リフロー処理において、半田溶融時の金属ハウジングケース22の浮き現象を抑え、位置ズレが発生しにくい金属ハウジングケース22底面部の構造、及び一定の半田層の厚みを常に維持できる金属ハウジングケース22底面部の構造により、安定した半田接合強度を得ることができる。【００６２】
さらに本実施形態２においては、半田固定専用の金属ホルダーを別途必要とせず、部品点数が少なくなると共に、金属ハウジングケース22の製作においても、コストがあまり掛からないプレス多段の絞り加工による構造で底面部形状を提供することができる。このように金属ハウジングケース22側の一部の形状を変更することにより、搭載する回路基板上の固定領域に安定して振動モータ21を置くことができ、接合強度を上げ、半田接合箇所から振動モータが剥離することを防ぐことができる表面実装型の振動モータ21を提供することができる。
【図面の簡単な説明】
【００６３】
【図１】本発明に係る振動モータの実施形態の一例を示す斜視図である。
【図２】本発明に係る振動モータの別の実施形態の一例を示す斜視図である。
【図３】本発明に係る振動モータの回路基板側への載置状態を示す概略図(a)、及び部分拡大図(b)。
【図４】従来例に係る振動モータの回路基板側への載置状態を示す概略図(a)、及び部分拡大図(b)。
【図５】リフロー処理時の振動モータの回路基板側への載置状態を示す本発明の概略図(a)、及び従来例の概略図(b)。
【図６】本発明に係る振動モータの他の実施形態の一例を示す断面図(a)、及びB-B断面図である。
【図７】本発明に係る金属ハウジングケースの実施形態の一例を示す平面図(a)、及び左側面−正面図−右側面図(b)、及び底面図(c)、及びA-A断面図である。
【図８】リフロー処理時の半田溶融状態でのフィレット形状を説明する模式図。
【符号の説明】
【００６４】
1、21    振動モータ
2、20、202    金属ホルダー
2a、22a    凸状レール
2b    突起
2d    ストッパー
22c    軸受保持部
3、23  偏心分銅
4、24    端子台
5、25    給電端子
5a    端子平面部
6、26    回転軸
10    モータ本体胴部
22    金属ハウジングケース
27    軸受
28    マグネット
29    コイル
100    回路基板
101    固定領域
130    半田
【図１】
2006104003.tif 000002
【図２】
2006104003.tif 000003
【図３】
2006104003.tif 000004
【図４】
2006104003.tif 000005
【図５】
2006104003.tif 000006
【図６】
2006104003.tif 000007
【図７】
2006104003.tif 000008
【図８】
2006104003.tif 000009
【国際調査報告】
2006104003.tif 000010
2006104003.tif 000011